(57)【要約】【課題】  皮革や厚手の布にポンチを用いて所要の孔を穿孔するとき、ポンチをハンマーで叩くときに発生する騒音が大きかった。また、ポンチを押し込んだ後で引き抜く際に、摩擦により布や皮革がポンチとともに連れ上がり作業性を損なう問題があった。【解決手段】  基端を枢軸によって基台に支持された操作レバーに、前記基台に面してポンチを取付け、操作レバーの上下動によって被加工皮へ穿孔できるようにするとともに、前記操作レバーにポンチの先端近傍へ伸びる押圧部材を取り付け、その押圧部材によって被加工皮を押圧した状態で被加工皮からポンチを引き抜き可能とした穿孔具である。【選択図】図１
2010029969.tif 000002
【特許請求の範囲】
【請求項１】
細長く作られた基台の一端に被加工皮の支持部と他端にヒンジピンとを設け、そのヒンジピンに基台に沿って上方へ伸びる操作レバーを回動可能に取付け、その操作レバーの下面に前記支持部方向へ伸びる穿孔用の工具を取り付けるとともに、前記操作レバーの遊端を筒状となし、その内部へ一端に把時部を備えた操作ハンドルの他端を挿入して所定の範囲内で回動可能に枢支し、その操作ハンドルの内端部に位置して前記操作レバーの下面に通し孔を設け、下方から押圧部材の上部を回動可能に挿通して支持し、その押圧部材の下端部をばね材によって前記穿孔具の近傍に保持してなる手芸用簡易穿孔具。
【請求項２】
請求項１において、前記基台は角形鋼管によって作られている手芸用簡易穿孔具。
【請求項３】
請求項１において、前記操作レバーを前記ヒンジピンから上方へ伸びる鉛直部と、その鉛直部の上端近傍から操作者側へ伸びる水平部とによって略Ｌ形に形成してなる手芸用簡易穿孔具。
【請求項４】
請求項３において、前記操作レバーの水平部は角形鋼管によって作られ、前記操作ハンドルは前記水平部の開口端の内部に挿入した状態で水平方向の枢軸によって枢支され、その遊端に前記押圧部材の上端部が回動可能に軸支されている手芸用簡易穿孔具。
【請求項５】
請求項１において、前記基台の一端に設けた被加工皮の支持部と穿孔具との間に案内孔を設けたゴム状の案内部材を介在させてなる手芸用簡易穿孔具。
【発明の詳細な説明】
【技術分野】
【０００１】
本発明は、手芸用として好適な簡易穿孔具に関するもので、とくに、皮革の穿孔に好適な穿孔具に関する。
【背景技術】
【０００２】
手芸では、たとえば、比較的厚い織布や薄い皮革を結合するのに、それらの縁に丸形あるいは菱形の孔を開け、その孔に紐を通して結ぶことがある。その紐を通す孔を穿孔するのに、従来は穿孔したい孔と同形のポンチ、彫刻刀などを用い、ハンマーで打撃を加えて穿孔していたが、激しい打撃音を生じるので夜間に作業をすると、家族その他、周囲に迷惑を及ぼす不具合があった。
【０００３】
このような不具合を解消するため、動力を用いる方法（特許文献１参照）も知られているが、装置が高価で手芸用には適さない。そこで発明者は、図５で示すように、テコを用いて打撃によることなく大きな穿孔力の得られる簡単な道具を作る着想を得た。なお、図５中の符号は本発明の実施例と類似した機能を有する部品については、説明に用いたと同様の符号を付してある。
【０００４】
しかしながら、テコの作用は一方向にしか力を及ぼさないため、ポンチを皮革へ押し込むことは容易であっても、一旦、押し込んだポンチを引き抜くときポンチと皮革との摩擦のため皮革がポンチとともに持ち上がってしまい、それを分離する工程を要したので、作業の効率を著しく低下させるという問題があった。
【０００５】
【特許文献１】特開平１１−４２５９５号公報
【発明の開示】
【発明が解決しようとする課題】
【０００６】
解決しようとする問題点は、テコを用いて人力で皮革や厚手の繊維からなる被加工皮に孔を開ける際、穿孔に用いたポンチを材料から抜脱させる作業を容易にすることのできる、構造が簡単で製造の容易な手段を備えた穿孔具が求められている。
【課題を解決するための手段】
【０００７】
本発明は、細長く作られた基台の一端に被加工皮の支持部と他端にヒンジピンとを設け、そのヒンジピンに基台に沿って上方へ伸びる操作レバーを回動可能に取付け、その操作レバーの下面に前記支持部方向へ伸びる穿孔用の工具を取り付けるとともに、前記操作レバーの遊端を筒状となし、その内部へ一端に把時部を備えた操作ハンドルの他端を挿入して所定の範囲内で回動可能に枢支し、その操作ハンドルの内端部に位置して前記操作レバーの下面に通し孔を設け、下方から押圧部材の上部を回動可能に挿通して支持し、その押圧部材の下端部をばね材によって前記穿孔具の近傍に保持したことを最も主要な特徴とする。
【発明の効果】
【０００８】
本発明に係る手芸用簡易穿孔具は、テコの原理を用いて穿孔具たるポンチを昇降させることにより、被加工皮を穿孔するものであるから、穿孔に際して打撃音を発生させることがなく、さらに、装置も小型で場所をとらず、装置の移動も容易である。
【０００９】
また、穿孔操作の後でパンチを被加工皮から抜き取る操作を行う際に、パンチの退去に先立って押圧部材がパンチの近傍の被加工皮を支持台上へ押し付けるので、パンチが抜き取られるとき被加工皮がもち上がる不具合がないので、穿孔操作を容易にすることができる。
【００１０】
さらに、操作ハンドルが、筒状に作られた操作レバーの端部へ挿入した状態で枢支されているので、外観が優れている上に、操作ハンドルを前記操作レバーを回動させる動作と、押圧部材を被加工皮へ向けて進退させる動作とに共用されるので、穿孔操作と退去操作との二つの操作を行うのに持ち替える必要がなく操作が容易であるなどの効果がある。
【実施例１】
【００１１】
以下、図示の実施例を説明する。図中、１０は手芸用簡易穿孔具であり、手芸用簡易穿孔具１０は角形鋼管によって構成された基台１２を有する。基台１２には一端に被加工皮Wの支持部１２ａが設けられ、他端には２個のブラケット１２ｂ、１２ｂが溶着されている。そのブラケット１２ｂ、１２ｂにはヒンジピン１４が取り付けられており、操作レバー１５が回動可能に枢支されている。
【００１２】
操作レバー１５は鋼製の２個の角形鋼管を溶接して作られており、前記ヒンジピン１４から上方へ伸びる鉛直部１５ａと、その鉛直部の上端近傍から操作者側へ伸びる水平部１５ｂとによって略Ｌ形をなしており、前記水平部１５ｂの下面に穿孔用の工具たるポンチＴが取り付けられている。
【００１３】
すなわち、ポンチＴは水平部１５ｂの下面に下方を向けて溶着された角形鋼管１５ｃへ、下方から挿入した後、その角形鋼管１５ｃの角部の一つに螺合させた蝶ボルト２２によって、対角の内面へ押し付けて着脱可能に固定する構成となっているが、この構成自体には新しさはなく、慣用されたものである。
【００１４】
操作レバー１５の操作者側となる水平部１５ｂの開口端には、断面が角形をした鋼材からなる捧状の操作ハンドル１７の一端が挿入され、水平方向の枢軸１６によって支持されて上下方向に回動可能となっている。また、下側内壁には通し孔１５ｄが設けられ、下方から吊下げロッド２２の上部が下方から挿入され、吊ピン１９によって回動可能に支持されている。よって、吊下げロッド２２の昇降範囲は操作ハンドル１７の水平部１５ｂへ挿入された先端部が、水平部１５ｂの上側内壁、あるいは下側内壁に当接しない僅かな範囲、すなわち、被加工皮Wの厚さよりやや大きめの２〜４ｍｍの範囲に限られる。
【００１５】
前記吊下げロッド２２の下端部には、被加工皮Ｗを前記支持部１２ａ上へ押し付けるための押圧部材２０が取り付けられている。押圧部材２０は前記ポンチＴを被加工皮Wから引き抜く際に、被加工皮Wを前記支持部１２ａ上へ抑えつけておくため設けられるものであり、細長い略短冊状の鋼板からなっている。押圧部材２０の上端部は吊下げロッド２２に設けられたボス２２ａとナット２３とによって固く挟持されており、下端部がポンチＴの刃先付近まで伸びている。２４は吊下げロッド２２をポンチＴの側面へ向けて付勢するためのばねであり、かくて、押圧部材２０はパンチＴの側面へ常時当接している。
【００１６】
４０は作業台１８上に載置される案内部材であり、被加工皮Ｗを一直線上で移動させるために用いられる。案内部材４０は薄い金属板を折り曲げて作られており、図４で示すように、作業台１８上に支持される支持面４１とその両脇の補強袖４２，４２とによって断面が略コ字状に作られている。
【００１７】
さらに、前記両脇の補強袖４２、４２の下縁は作業台１８の幅よりやゝ狭くしてあり、作業台１８へ取付けたとき僅かに変形して、その弾力で所定の位置に係止されようになっている。また、前記支持面４１の作業者側の端部を延長した上で、上方へ折り曲げて案内壁４３を形成したものである。
【００１８】
よって、案内部材４０を作業台１８へ取り付けるには、補強袖４２、４２の間隔を拡げて作業台１８の上面に載せる操作で足り、補強袖４２、４２の弾力によって固定されるとともに、補強袖４２、４２を作業台１８の側面に当接させた状態で摺動させることができ、それによって、前記ポンチＴと案内壁４３との距離、換言すれば被加工皮Ｗの縁と穿孔された孔との距離を変更することができる。
【００１９】
また、被加工皮Ｗたる皮革の縁を案内壁４３に当接させると、ポンチＴによって穿孔するべき位置が決まるとともに、案内壁４３に沿って移動させることにより、孔を一列に整列した状態に穿孔できる。
【００２０】
次に、被加工皮Ｗに小孔を穿設する操作を図６によって説明する。同図（ａ）は初期位置を示し、図中、パンチＴと押圧部材２０は基台１２の支持部１２ａ上にある。この状態から操作者は、一方の手で操作ハンドル１７を基台１２上から持ち上げて操作レバー１５に取り付けたパンチＴと、押圧部材２０とを上方へ退去させ、他方の手で同図（ｂ）で示すように、基台１２の支持部１２ａへ被加工皮Wを載せ、案内部材４０に突き当てて所定の位置に位置決めする。このとき、当然ながら操作ハンドル１７の遊端部は水平部１５ｂの内側下壁に当接しており押圧部材２０は下方へ最大限まで突出している。
【００２１】
この状態から、操作ハンドル１７を持ち上げていた力を緩め下方へ向けて回動操作すると、操作レバー１５は自重によって下方へ回動し、パンチＴと押圧部材２０とが略同時に被加工材Ｗに当接して下降が停止するから、操作ハンドル１７に力を加えて穿孔を行う。
【００２２】
操作ハンドル１７に力を加えて下方へ押し下げると、まず、操作レバー１５に対して操作ハンドル１７のみが回動し、吊下げロッド２２を介して押圧部材２０がパンチＴに対して上方へ退去し、同図（ｃ）で示すように、パンチＴのみが被加工材Ｗ中へ進入して静かに穿孔が行われる。
【００２３】
被加工皮Ｗの穿孔が終了し、被加工皮WからポンチＴを引き抜くため、操作ハンドル１７を持ち上げると、まず、吊下げロッド２２を介して押圧部材２０が下降してパンチＴ近傍の被加工材Ｗに当接し被加工皮Wの上面を支持部１２ａへ向けて押圧する。
【００２４】
さらに操作ハンドル１７を上方へ回動操作すると引き続き押圧部材２０が被加工皮Wへ押し付けた状態にあるので、同図（ｄ）で示すように、ポンチＴは被加工皮Ｗを支持部１２ａの上に残したまま上方へ移動し離脱し、引き続いて押圧部材２０も上方へ退去する。
【００２５】
よって、前記操作レバー１５がヒンジピン１４を軸として上方へ回動しポンチＴが披加工材Ｗから離脱するとき、被加工皮ＷがポンチＴとともに持ち上がる、いわゆる連れ上がりが阻止されるから、ポンチＴは被加工皮Ｗから円滑に離脱できる。
【図面の簡単な説明】
【００２６】
【図１】本願発明の一実施例を示す簡易穿孔具の正面図である。
【図２】その平面図である。
【図３】図１の右側面図である。
【図４】要部である案内部材の外観図である。
【図５】手芸用簡易穿孔具の作動工程を示す工程図である。
【図６】従前の手芸用簡易穿孔具を示す図３相当の右側面図である。
【符号の説明】
【００２７】
１０    手芸用簡易穿孔具
１２    基台
１２ａ    支持部
１２ｂ    ブラケット
１４    ヒンジピン
１５    操作レバー
１５ａ    鉛直部
１５ｂ    水平部
１５ｃ    角形鋼管
１５ｄ    通し孔
１６    水平方向の枢軸
１７    操作ハンドル
１８    作業台（ゴム台）
１８ａ    逃げ孔
１９    吊ピン
２０    押圧部材
２２    吊下げロッド
２２ａ    ボス
２３    ナット
２４    蝶ボルト
２６    ばね
４０    案内部材
４１    支持面
４２    補強袖
４３    案内壁
Ｓ    距離
Ｔ    穿孔用の工具（ポンチ）
Ｗ    被加工皮
【図１】
2010029969.tif 000003
【図２】
2010029969.tif 000004
【図３】
2010029969.tif 000005
【図４】
2010029969.tif 000006
【図５】
2010029969.tif 000007
【図６】
2010029969.tif 000008